(57)【要約】【課題】偏光フィルタなどの回転光学要素を挿入位置から離脱位置に離脱駆動させるときに、使用状況やユーザの趣向に応じて、ケラレの発生の防止を優先するか又は離脱駆動の速度を優先するかを最適設定する。【解決手段】撮影光学系の光路上で該撮影光学系の光軸を中心に回転する回転光学要素；前記回転光学要素を前記撮影光学系の光路上への挿入位置と前記撮影光学系の光路上からの離脱位置との間で挿脱駆動させる挿脱駆動機構；前記回転光学要素を前記挿入位置から離脱位置に離脱駆動させるための離脱駆動指示信号を入力する入力部；ケラレ防止優先離脱駆動モードと速度優先離脱駆動モードのいずれかを設定する離脱駆動モード設定部；及び前記入力部が離脱駆動指示信号を入力したとき、前記離脱駆動モード設定部が設定した離脱駆動モードに応じて、前記挿脱駆動機構による前記回転光学要素の離脱駆動を異なる態様で制御する制御部；を備える撮影装置。【選択図】図２２
2013210481.tif 000002
【特許請求の範囲】
【請求項１】
撮影光学系の光路上で該撮影光学系の光軸を中心に回転する回転光学要素；
前記回転光学要素を前記撮影光学系の光路上への挿入位置と同光路上からの離脱位置との間で挿脱駆動させる挿脱駆動機構；
前記回転光学要素を前記挿入位置から離脱位置に離脱駆動させるための離脱駆動指示信号を入力する入力部；
ケラレ防止優先離脱駆動モードと速度優先離脱駆動モードのいずれかを設定する離脱駆動モード設定部；及び
前記入力部が離脱駆動指示信号を入力したとき、前記離脱駆動モード設定部が設定した離脱駆動モードに応じて、前記挿脱駆動機構による前記回転光学要素の離脱駆動を異なる態様で制御する制御部；
を備えることを特徴とする撮影装置。
【請求項２】
請求項１記載の撮影装置において、
前記挿脱駆動機構は、
支持部材；
前記支持部材に前記撮影光学系の光軸を中心とする方向へ回転可能に支持され、駆動源によって前記回転方向に回転駆動される原動回転部材；
前記支持部材に前記光軸を中心とする方向へ回転可能に支持され、前記原動回転部材に対して前記回転方向に相対回転が可能な従動回転部材；
前記従動回転部材に回転抵抗を与える抵抗付与手段；
前記回転光学要素を保持し、前記原動回転部材から前記回転方向の力を伝達される回転伝達部と、前記従動回転部材に対する軸支部とを有し、前記軸支部を中心とする正逆方向の回動によって前記回転光学要素を前記光路上に挿脱させる保持部材；
前記保持部材を前記光路上への挿入位置で回動規制する挿入制御手段；及び
前記保持部材に対し、前記光軸を中心とする回転方向の特定位置で前記光路からの完全離脱位置までの移動を許し、前記回転方向の特定位置以外で前記完全離脱位置よりも離脱方向への移動量が小さい制限離脱位置で回動規制する離脱制御手段；を備え、
前記挿脱駆動機構は、
前記保持部材が前記挿入制御手段と前記離脱制御手段による回動規制を受けない方向に前記原動回転部材を回転させることにより、前記抵抗付与手段による回転抵抗を受ける前記従動回転部材と前記原動回転部材との間で前記回転方向の差動が生じて前記保持部材が前記軸支部を中心とする挿脱方向の回動を行う差動回転動作；
前記保持部材が前記挿入位置にあるときに、前記保持部材が前記挿入制御手段による回動規制を受ける方向へ前記原動回転部材を回転させることにより、前記抵抗付与手段による回転抵抗に抗して前記従動回転部材と前記保持部材が前記光軸を中心として前記原動回転部材と共に回転する連れ回り正回転動作；及び
前記保持部材が前記制限離脱位置にあるときに、前記保持部材が前記離脱制御手段による回動規制を受ける方向へ前記原動回転部材を回転させることにより、前記抵抗付与手段による回転抵抗に抗して前記従動回転部材と前記保持部材が前記原動回転部材と共に回転し、前記回転方向の特定位置で前記保持部材が前記完全離脱位置まで回動される連れ回り逆回転動作；を行う撮影装置。
【請求項３】
請求項２記載の撮影装置において、
前記制限離脱位置は、前記連れ回り逆回転動作によって前記保持部材が所定量だけ回動移動したときに前記保持部材が制限離脱位置から完全離脱位置に移行する離脱直前位置を含んでおり、
前記制御部は、前記入力部が離脱駆動指示信号を入力した場合において、前記離脱駆動モード設定部がケラレ防止優先離脱駆動モードを設定しているとき、前記挿脱駆動機構に、
（１）前記保持部材が前記離脱直前位置に相当する回転角度位置に到達するまで、前記保持部材を前記挿入位置に位置させたままで、前記連れ回り正回転動作を行わせる動作ステップ；
（２）前記保持部材が前記離脱直前位置に相当する回転角度位置に到達した後に前記差動回転動作を行わせて、前記保持部材を前記挿入位置から前記離脱直前位置に移行させる動作ステップ；及び
（３）前記保持部材を前記離脱直前位置に移行させた後に前記連れ回り逆回転動作を行わせて、前記保持部材を前記離脱直前位置から前記完全離脱位置に移行させる動作ステップ；を実行させる撮影装置。
【請求項４】
請求項２記載の撮影装置において、
前記挿脱駆動機構は、前記入力部が離脱駆動指示信号を入力した時点における前記回転光学要素の回転角度位置を検出する検出部をさらに備えており、
前記制限離脱位置は、前記連れ回り逆回転動作によって前記保持部材が所定量だけ回動移動したときに前記保持部材が制限離脱位置から完全離脱位置に移行する離脱直前位置を含んでおり、
前記制御部は、前記入力部が離脱駆動指示信号を入力した場合において、前記離脱駆動モード設定部が速度優先離脱駆動モードを設定しているとき、前記挿脱駆動機構に、
（１）前記検出部の検出結果に基づいて、前記差動回転動作によって前記保持部材を前記挿入位置から前記制限離脱位置に移行させた後に前記連れ回り逆回転動作によって前記保持部材を前記離脱直前位置に位置させる場合と、前記連れ回り正回転動作によって前記保持部材を前記離脱直前位置に相当する回転角度位置に到達させた後に前記差動回転動作によって前記保持部材を前記離脱直前位置に位置させる場合とのうち、要する時間が短い方の動作を行わせて、前記保持部材を前記離脱直前位置に位置させる動作ステップ；及び
（２）前記保持部材を前記離脱直前位置に位置させた後に前記連れ回り逆回転動作を行わせて、前記保持部材を前記離脱直前位置から前記完全離脱位置に移行させる動作ステップ；を実行させる撮影装置。
【請求項５】
請求項３または４記載の撮影装置において、
前記離脱直前位置は、前記連れ回り逆回転動作によって前記保持部材がα°（但し０°＜α°＜１８０°）だけ回動移動したときに前記保持部材が制限離脱位置から完全離脱位置に移行する位置である撮影装置。
【請求項６】
請求項１ないし５のいずれか１項記載の撮影装置において、
前記入力部として、前記回転光学要素を離脱駆動させるための回転光学要素離脱スイッチと、前記撮影装置の電源をオンからオフに切り替える電源スイッチとを備えており、
前記離脱駆動モード設定部は、前記回転光学要素離脱スイッチが離脱駆動指示信号を入力したときはケラレ防止優先離脱駆動モードを設定し、前記電源スイッチが離脱駆動指示信号を入力したときは速度優先離脱駆動モードを設定する撮影装置。
【請求項７】
請求項１ないし５のいずれか１項記載の撮影装置において、
前記離脱駆動モード設定部は、ケラレ防止優先離脱駆動モードと速度優先離脱駆動モードとを切り替える離脱駆動モード切替スイッチからなる撮影装置。
【請求項８】
請求項１ないし７のいずれか１項記載の撮影装置において、
前記回転光学要素は偏光フィルタである回転光学要素の駆動装置。
【発明の詳細な説明】
【技術分野】
【０００１】
本発明は、撮影光学系の光路に挿脱自在に回転光学要素（例えば偏光フィルタ）を設けた撮影装置に関する。
【背景技術】
【０００２】
従来、デジタルカメラなどの撮影装置として、撮影光学系の光路に挿脱自在に設けられその挿入状態で光軸中心に回転することで偏光状態を変化させる偏光フィルタ（回転光学要素）を備えたものが知られている（特許文献１、２）。このタイプの撮影装置では、偏光フィルタを挿入位置から離脱位置に離脱駆動させるときに、偏光フィルタを保持するフィルタ枠（保持部材）が撮影光学系の有効光束（可変開口絞りの可変開口によって規定される）を遮ることでケラレが発生し、ユーザの使用感が損なわれるおそれがある。その一方、使用状況やユーザの趣向によっては、ケラレの発生を問題視することなく少しでも早く偏光フィルタを離脱駆動させたい場合も存在する。
【先行技術文献】
【特許文献】
【０００３】
【特許文献１】特開２００６−３３７６９５号公報
【特許文献２】特開平３−１９２２３１号公報
【発明の概要】
【発明が解決しようとする課題】
【０００４】
本発明は、上記問題意識に基づいて完成されたものであり、偏光フィルタなどの回転光学要素を挿入位置から離脱位置に離脱駆動させるときに、使用状況やユーザの趣向に応じて、ケラレの発生の防止を優先するか又は離脱駆動の速度を優先するかを最適設定することができる撮影装置を得ることを目的とする。
【課題を解決するための手段】
【０００５】
本発明の撮影装置は、撮影光学系の光路上で該撮影光学系の光軸を中心に回転する回転光学要素；前記回転光学要素を前記撮影光学系の光路上への挿入位置と同光路上からの離脱位置との間で挿脱駆動させる挿脱駆動機構；前記回転光学要素を前記挿入位置から離脱位置に離脱駆動させるための離脱駆動指示信号を入力する入力部；ケラレ防止優先離脱駆動モードと速度優先離脱駆動モードのいずれかを設定する離脱駆動モード設定部；及び前記入力部が離脱駆動指示信号を入力したとき、前記離脱駆動モード設定部が設定した離脱駆動モードに応じて、前記挿脱駆動機構による前記回転光学要素の離脱駆動を異なる態様で制御する制御部；を備えることを特徴としている。
【０００６】
前記挿脱駆動機構は、支持部材；前記支持部材に前記撮影光学系の光軸を中心とする方向へ回転可能に支持され、駆動源によって前記回転方向に回転駆動される原動回転部材；前記支持部材に前記光軸を中心とする方向へ回転可能に支持され、前記原動回転部材に対して前記回転方向に相対回転が可能な従動回転部材；前記従動回転部材に回転抵抗を与える抵抗付与手段；前記回転光学要素を保持し、前記原動回転部材から前記回転方向の力を伝達される回転伝達部と、前記従動回転部材に対する軸支部とを有し、前記軸支部を中心とする正逆方向の回動によって前記回転光学要素を前記光路上に挿脱させる保持部材；前記保持部材を前記光路上への挿入位置で回動規制する挿入制御手段；及び前記保持部材に対し、前記光軸を中心とする回転方向の特定位置で前記光路からの完全離脱位置までの移動を許し、前記回転方向の特定位置以外で前記完全離脱位置よりも離脱方向への移動量が小さい制限離脱位置で回動規制する離脱制御手段；を備え、前記挿脱駆動機構は、前記保持部材が前記挿入制御手段と前記離脱制御手段による回動規制を受けない方向に前記原動回転部材を回転させることにより、前記抵抗付与手段による回転抵抗を受ける前記従動回転部材と前記原動回転部材との間で前記回転方向の差動が生じて前記保持部材が前記軸支部を中心とする挿脱方向の回動を行う差動回転動作；前記保持部材が前記挿入位置にあるときに、前記保持部材が前記挿入制御手段による回動規制を受ける方向へ前記原動回転部材を回転させることにより、前記抵抗付与手段による回転抵抗に抗して前記従動回転部材と前記保持部材が前記光軸を中心として前記原動回転部材と共に回転する連れ回り正回転動作；及び前記保持部材が前記制限離脱位置にあるときに、前記保持部材が前記離脱制御手段による回動規制を受ける方向へ前記原動回転部材を回転させることにより、前記抵抗付与手段による回転抵抗に抗して前記従動回転部材と前記保持部材が前記原動回転部材と共に回転し、前記回転方向の特定位置で前記保持部材が前記完全離脱位置まで回動される連れ回り逆回転動作；を行うことができる。
【０００７】
前記制限離脱位置は、前記連れ回り逆回転動作によって前記保持部材が所定量だけ回動移動したときに前記保持部材が制限離脱位置から完全離脱位置に移行する離脱直前位置を含んでおり、前記制御部は、前記入力部が離脱駆動指示信号を入力した場合において、前記離脱駆動モード設定部がケラレ防止優先離脱駆動モードを設定しているとき、前記挿脱駆動機構に、次の（１）ないし（３）の動作ステップを実行させることができる。
（１）前記保持部材が前記離脱直前位置に相当する回転角度位置に到達するまで、前記保持部材を前記挿入位置に位置させたままで、前記連れ回り正回転動作を行わせる動作ステップ。
（２）前記保持部材が前記離脱直前位置に相当する回転角度位置に到達した後に前記差動回転動作を行わせて、前記保持部材を前記挿入位置から前記離脱直前位置に移行させる動作ステップ。
（３）前記保持部材を前記離脱直前位置に移行させた後に前記連れ回り逆回転動作を行わせて、前記保持部材を前記離脱直前位置から前記完全離脱位置に移行させる動作ステップ。
【０００８】
前記挿脱駆動機構は、前記入力部が離脱駆動指示信号を入力した時点における前記回転光学要素の回転角度位置を検出する検出部をさらに備えており、前記制限離脱位置は、前記連れ回り逆回転動作によって前記保持部材が所定量だけ回動移動したときに前記保持部材が制限離脱位置から完全離脱位置に移行する離脱直前位置を含んでおり、前記制御部は、前記入力部が離脱駆動指示信号を入力した場合において、前記離脱駆動モード設定部が速度優先離脱駆動モードを設定しているとき、前記挿脱駆動機構に、次の（１）及び（２）の動作ステップを実行させることができる。
（１）前記検出部の検出結果に基づいて、前記差動回転動作によって前記保持部材を前記挿入位置から前記制限離脱位置に移行させた後に前記連れ回り逆回転動作によって前記保持部材を前記離脱直前位置に位置させる場合と、前記連れ回り正回転動作によって前記保持部材を前記離脱直前位置に相当する回転角度位置に到達させた後に前記差動回転動作によって前記保持部材を前記離脱直前位置に位置させる場合とのうち、要する時間が短い方の動作を行わせて、前記保持部材を前記離脱直前位置に位置させる動作ステップ。
（２）前記保持部材を前記離脱直前位置に位置させた後に前記連れ回り逆回転動作を行わせて、前記保持部材を前記離脱直前位置から前記完全離脱位置に移行させる動作ステップ。
【０００９】
前記離脱直前位置は、前記連れ回り逆回転動作によって前記保持部材がα°（但し０°＜α°＜１８０°）だけ回動移動したときに前記保持部材が制限離脱位置から完全離脱位置に移行する位置とすることができる。
【００１０】
前記入力部として、前記回転光学要素を離脱駆動させるための回転光学要素離脱スイッチと、前記撮影装置の電源をオンからオフに切り替える電源スイッチとを備えており、前記離脱駆動モード設定部は、前記回転光学要素離脱スイッチが離脱駆動指示信号を入力したときはケラレ防止優先離脱駆動モードを設定し、前記電源スイッチが離脱駆動指示信号を入力したときは速度優先離脱駆動モードを設定することができる。
【００１１】
あるいは、前記離脱駆動モード設定部は、ケラレ防止優先離脱駆動モードと速度優先離脱駆動モードとを切り替える離脱駆動モード切替スイッチを前記離脱駆動モード設定部として用いてもよい。
【００１２】
前記回転光学要素は偏光フィルタとすることができる。
【発明の効果】
【００１３】
本発明の撮影装置によれば、偏光フィルタなどの回転光学要素を挿入位置から離脱位置に離脱駆動させるときに、使用状況やユーザの趣向に応じて、ケラレの発生の防止を優先するか又は離脱駆動の速度を優先するかを最適設定することができる撮影装置が得られる。
【図面の簡単な説明】
【００１４】
【図１】本発明による撮影装置を搭載したズームレンズ鏡筒の一実施形態を示す撮影状態（ズーム域）での断面図である。
【図２】同ズームレンズ鏡筒の収納（沈胴）状態での断面図である。
【図３】同ズームレンズ鏡筒を構成する２群レンズブロックの斜視図である。
【図４】２群レンズブロックの分解斜視図である。
【図５】２群レンズブロックに含まれる偏光フィルタユニットの分解斜視図である。
【図６】偏光フィルタ離脱状態の偏光フィルタユニットをモータ支持部材を省略して光軸方向前方から見た正面図である。
【図７】偏光フィルタ離脱状態の偏光フィルタユニットをベース部材を省略して光軸方向後方から見た背面図である。
【図８】図６のVIII- VIII線に沿う断面図である。
【図９】偏光フィルタ挿入状態の偏光フィルタユニットをモータ支持部材を省略して光軸方向前方から見た正面図である。
【図１０】偏光フィルタ挿入状態の偏光フィルタユニットをベース部材を省略して光軸方向後方から見た背面図である。
【図１１】図１０のXI-XI線に沿う断面図である。
【図１２】図１０のXII-XII線に沿う断面図である。
【図１３】図１０のXIII-XIII線に沿う断面図である。
【図１４】図９のXIV-XIV線に沿う断面図である。
【図１５】偏光フィルタを離脱状態から挿入状態にさせ、さらに挿入状態の偏光フィルタを光軸中心に回転させる動作を（Ａ）から（Ｆ）の順に示した正面図である。
【図１６】偏光フィルタを離脱状態から挿入状態にさせ、さらに挿入状態の偏光フィルタを光軸中心に回転させる動作を（Ａ）から（Ｅ）の順に示した背面図である。
【図１７】偏光フィルタを挿入状態から離脱状態にさせる動作を（Ａ）から（Ｆ）の順に示した正面図である。
【図１８】図１及び図２のズームレンズ鏡筒を搭載するカメラの電気部品の一部を概念的に示すブロック図である。
【図１９】フィルタ枠の離脱直前位置を説明するための図である。
【図２０】ケラレ防止優先離脱駆動モードにおける偏光フィルタの離脱駆動動作を（Ａ）から（Ｅ）の順に示した正面図である。
【図２１】速度優先離脱駆動モードにおける偏光フィルタの離脱駆動動作を示す概念図である。
【図２２】偏光フィルタの離脱駆動時における制御回路による制御内容を示すフローチャートである。
【発明を実施するための形態】
【００１５】
図１及び図２は、本発明を適用した沈胴式ズームレンズ鏡筒ＺＬの一実施形態を示している。このズームレンズ鏡筒ＺＬの撮像光学系は、物体（被写体）側から順に第１レンズ群ＬＧ１、シャッタＳ、第２レンズ群ＬＧ２、第３レンズ群ＬＧ３、ローパスフィルタ２５及び撮像素子２６を備えている。また、第２レンズ群ＬＧ２の前方の光路上に挿脱可能な偏光フィルタ（回転光学要素）４３を有する。以下の説明中で光軸方向とは、この撮影光学系の光軸Ｏと平行な方向を意味し、前方とは光軸方向の前方（被写体側）、後方とは光軸方向の後方（像面側）を意味する。また、光軸Ｏを中心とする径方向において、光軸Ｏに近い側を内径側、光軸Ｏから遠い側を外径側とする。
【００１６】
ズームレンズ鏡筒ＺＬは固定部材として筒状のハウジング２２を有し、ハウジング２２の後部に撮像素子ホルダ２１が固定される。ローパスフィルタ２５と撮像素子２６はユニット化されて撮像素子ホルダ２１の前面部に固定されている。
【００１７】
第３レンズ群ＬＧ３は、ズームレンズ鏡筒ＺＬにおけるフォーカスレンズ群であり、３群レンズ枠５１に保持されている。３群レンズ枠５１は、図示を省略するガイド軸を介して光軸方向に直進移動可能に支持されており、ＡＦモータ１６０（図１８）の駆動力によって前後に移動させることができる。
【００１８】
ハウジング２２の内側には、３群レンズ枠５１の支持駆動手段とは別に、鏡筒駆動モータ１５０（図１８）により駆動制御される変倍群（カム環）ブロックが支持されている。変倍群（カム環）ブロックは、カム環１１、繰出筒１２、直進案内環１３及び２群レンズブロック８０を含んでいる。
【００１９】
カム環１１は、繰出筒１２と共にズームレンズ鏡筒ＺＬの外観筒を構成しており、ハウジング２２の内周面に形成したカム環ガイド溝２２ａに対して摺動可能に嵌るガイド突起（不図示）を有する。カム環１１は、鏡筒駆動モータ１５０により回転駆動されるズームギヤ（不図示）の駆動力を受けて回転され、カム環ガイド溝２２ａの案内により回転しながら光軸方向に移動する。ハウジング２２内には直進案内環１３が支持されている。直進案内環１３は、ハウジング２２の内面に形成した直進案内溝を介して光軸方向に直進移動可能に案内されており、カム環１１とは相対回転は可能で光軸方向に共に移動するように結合されている。
【００２０】
図３及び図４に示すように、２群レンズブロック８０は２群レンズ移動環８の前部に偏光フィルタユニット４０を固定した構成であり、２群レンズ移動環８の本体部分を構成する筒状部８ａの後端付近から外径方向に突出する直進案内キー８ｂを、直進案内環１３に形成した光軸方向への長穴である直進案内スロット（不図示）に対して摺動可能に係合させることにより光軸方向へ直進案内されている。直進案内キー８ｂは周方向に位置を異ならせて３つ設けられており、図３及び図４にはそのうちの２つが示されている。
【００２１】
第２レンズ群ＬＧ２は、２群レンズ移動環８の筒状部８ａ内に形成した保持枠部８ｃによって保持されている。２群レンズ移動環８の前部には、偏光フィルタユニット４０とシャッタユニット８１が取り付けられる。シャッタユニット８１は内部に開閉可能なシャッタＳ（図１、図２）を有し、アクチュエータによってシャッタＳを開閉駆動する。偏光フィルタユニット４０は、光軸Ｏを通る光路上に偏光フィルタ４３を挿脱させ、かつ挿入した偏光フィルタ４３を光軸Ｏを中心として回転させることが可能であり、その詳細については後述する。
【００２２】
２群レンズ移動環８の３つの直進案内キー８ｂ上にはそれぞれ２群用カムフォロア８ｄが固定されている。２群用カムフォロア８ｄは、カム環１１の内周面に形成した２群制御カム溝ＣＧ２に対して摺動可能に係合している。２群レンズ移動枠８（２群レンズブロック８０）は直進案内環１３を介して光軸方向に直進案内されているため、カム環１１が回転すると、２群用カムフォロア８ｄが２群制御カム溝ＣＧ２の案内を受けて、２群レンズ移動枠８（２群レンズブロック８０）が光軸方向へ所定の軌跡で移動する。
【００２３】
繰出筒１２内には第１レンズ群ＬＧ１が保持されている。繰出筒１２は内面側に設けた直進案内キー（不図示）を直進案内環１３に形成した直進案内溝（不図示）に対して摺動可能に係合させることで光軸方向へ直進案内されている。繰出筒１２の後端付近の外周面上には１群用カムフォロア１２ａが設けられ、この１群用カムフォロア１２ａがカム環１１の内周面に形成した１群制御カム溝ＣＧ１に対して摺動可能に係合している。繰出筒１２は直進案内環１３を介して光軸方向に直進案内されているため、カム環１１が回転すると、１群用カムフォロア１２ａが１群制御カム溝ＣＧ１の案内を受けて、繰出筒１２が光軸方向へ所定の軌跡で移動する。
【００２４】
図１８はズームレンズ鏡筒ＺＬを搭載するカメラの電気部品の一部を概念的に示したものである。鏡筒駆動モータ１５０、ＡFモータ１６０、シャッタユニット８１は制御回路（制御部、離脱駆動モード設定部）７０によって制御される。さらに制御回路７０は偏光フィルタユニット４０に関して後述する制御を行う。
【００２５】
以上の構造からなるズームレンズ鏡筒ＺＬは次のように動作する。図１に示す撮影状態（ズーム域）では、ハウジング２２に対してカム環１１が光軸方向前方に繰り出され、カム環１１の繰り出し量はカム環ガイド溝２２ａの軌跡により制御される。第１レンズ群ＬＧ１を支持する繰出筒１２と、第２レンズ群ＬＧ２を支持する２群レンズブロック８０はそれぞれ、カム環１１の回転に応じてカム溝ＣＧ１、ＣＧ２の案内を受けて光軸方向に相対移動する。
【００２６】
図１に示す撮影状態から鏡筒駆動モータ１５０を鏡筒収納方向に駆動させると、カム環ガイド溝２２ａの案内を受けたカム環１１が回転しながら光軸方向後方へ移動される。繰出筒１２と２群レンズブロック８０（２群レンズ移動枠８）は、カム環１１上のカム溝ＣＧ１、ＣＧ２の軌跡による所定の相対移動を伴いつつ、カム環１１と共に光軸方向後方へ移動する。やがて図２の鏡筒収納状態まで達すると、鏡筒駆動モータ１５０の鏡筒収納方向の駆動が停止される。また、第３レンズ群ＬＧ３を保持する３群レンズ枠５１も、図２に示す後退位置になるようにＡＦモータ１６０によって位置制御される。
【００２７】
偏光フィルタユニット４０に保持された偏光フィルタ４３は、第２レンズ群ＬＧ２の前方へ任意に挿脱させ、かつ光軸Ｏを中心とする回転を行わせることができる。この偏光フィルタ４３の保持と駆動を行う偏光フィルタユニット４０の詳細構造を説明する。図５に示すように、偏光フィルタユニット４０は、ベース部材（支持部材）１００とモータ支持部材（支持部材）４１の間に、フィルタ枠（保持部材）４２、偏光フィルタ４３、環状摩擦板（従動回転部材）４４、回転環（従動回転部材）４５、原動環（原動回転部材）４６、摩擦シート４７、保護シート（従動回転部材）４８、抵抗付与バネ（抵抗付与手段、付勢部材）４９といった部材を保持した構成になっている。偏光フィルタ（回転光学要素）４３を除く各構成要素は、偏光フィルタ４３を、偏光フィルタ４３が撮影光学系の光路上に位置する挿入位置と偏光フィルタ４３が撮影光学系の光路上から離脱した離脱位置との間で挿脱駆動させる挿脱駆動機構を構成する。
【００２８】
ベース部材１００は、光軸Ｏを中心とする円形状の中央開口１００ａを囲む環状をなし、中央開口１００ａの周囲に、光軸Ｏに対して略直交する支持面１００ｂが前方に向けて形成され、支持面１００ｂの外側に外囲壁部（離脱制御手段、円筒壁部）１００ｃを有する。外囲壁部１００ｃは支持面１００ｂから前方に突出し、光軸Ｏを中心とした一定径の内壁面（内周面）を有する円筒状の壁部である。この外囲壁部１００ｃに連続してフィルタ収納壁部（離脱制御手段、収納壁部）１００ｄが形成されている。フィルタ収納壁部１００ｄは外囲壁部１００ｃよりも外径方向に突出しており、外囲壁部１００ｃに比して曲率の大きい部分円筒状の内壁面（内周面）を有する壁部である。図６と図９に示すように、このフィルタ収納壁部１００ｄと外囲壁部１００ｃとの境界付近に、径方向に貫通するセンサ用穴１００ｅが形成されている。外囲壁部１００ｃのうちセンサ用穴１００ｅに臨む縁部に、外囲壁部１００ｃの一部として規制壁部１００ｉが形成されている。規制壁部１００ｉの外側には薄板状のセンサ支持片１００ｊが形成されている。また、外囲壁部１００ｃの外周側には周方向位置を異ならせて３つの係止片１００ｆと、３つの係止突起１００ｈが設けられている。それぞれの係止片１００ｆは前方に突出し、径方向に貫通する穴を有する。
【００２９】
ベース部材１００の後部にシャッタユニット８１が固定されている。シャッタユニット８１はベース部材１００の外囲壁部１００ｃとほぼ同径の外径サイズの環状部を有し、シャッタＳは開かれるとこの環状部内に格納され、閉じられるときに環状部から内径方向に突出する。シャッタユニット８１の環状部の後部に、シャッタＳを駆動させるシャッタアクチュエータ８２が突出している（図１、図２）。図１と図２ではベース部材１００とシャッタユニット８１が一体的に描かれているが、ベース部材１００とシャッタユニット８１は別部材として形成されてから固定される。なお、本発明ではシャッタユニット８１を省略可能であり、シャッタユニット８１と一体化させずに偏光フィルタユニット４０を単独で構成してもよい。
【００３０】
モータ支持部材４１は、ベース部材１００に対応する外径サイズの環状部材であり、内周側には中央開口１００ａよりも大径の前方開口４１ａが形成され、外周上には、ベース部材１００のセンサ用穴１００ｅに対応する位置にセンサ支持部４１ｂが形成され、３つの係止片１００ｆに対応する位置に３つの係止突起４１ｃが形成されている。この３つの係止突起４１ｃをそれぞれ対応する係止片１００ｆの穴に係合させて、モータ支持部材４１とベース部材１００が組み合わされる。モータ支持部材４１のセンサ支持部４１ｂには離脱検知センサ（フィルタ検知センサ）６５が保持される。離脱検知センサ６５は、後述するモータ支持部材４１とベース部材１００の組み合わせ状態で、ベース部材１００の規制壁部１００ｉとセンサ支持片１００ｊによる支持も受ける。離脱検知センサ６５は、光軸方向に離間する発光部と受光部を有するフォトインタラプタであり、発光部から受光部への光の入射の有無を検出して制御回路７０へ出力する。
【００３１】
図１１ないし図１４に示すように、モータ支持部材４１の内周部には、前方開口４１ａの後方に位置させて挿入規制面４１ｄが形成され、挿入規制面４１ｄの後方には、径方向と光軸方向に位置を異ならせて回転案内面４１ｅと回転案内面４１ｆが形成されている。回転案内面４１ｅと回転案内面４１ｆはいずれも光軸Ｏを中心とする円筒の内面であり、光軸方向の前方に位置する回転案内面４１ｅよりも光軸方向の後方に位置する回転案内面４１ｆの方が大径になっている。回転案内面４１ｆの外周側には、ベース部材１００の外囲壁部１００ｃの前端が嵌合する外周嵌合部４１ｇが形成されている。また、回転案内面４１ｅと回転案内面４１ｆの間の光軸方向位置には、当付凸部４１ｈが後方に向けて突設されている。当付凸部４１ｈは、光軸Ｏを中心とする環状の領域に形成された後方への突出部である。
【００３２】
モータ支持部材４１のモータ支持部４１ｉとベース部材１００のギヤ支持部１００ｇとの間に光軸Ｏと平行なギヤ支持軸６０ａ、６１ａが設けられ、ギヤ支持軸６０ａに第１ギヤ６０、ギヤ支持軸６１ａに第２ギヤ６１がそれぞれ軸支されている（図１４）。モータ支持部４１ｉの前面側には、制御回路７０によって駆動制御されるフィルタ駆動モータ（挿脱駆動機構、回転光学要素の駆動源）１８０が支持される。フィルタ駆動モータ１８０は光軸Ｏと平行な方向に回転軸を突出させたステッピングモータであり、この回転軸上にピニオン１８０ａが設けられ、モータ本体のうち回転軸が突出する側の端部に支持板１８０ｂが設けられている。フィルタ駆動モータ１８０はモータ支持部４１ｉに対して支持板１８０ｂを当接させてモータ支持部材４１に固定され、図１４に示すように、この固定状態でピニオン１８０ａが第１ギヤ６０に噛合する。第１ギヤ６０は大径ギヤと小径ギヤからなる２段ギヤであり、ピニオン１８０ａは第１ギヤ６０の大径ギヤに噛合し、第１ギヤ６０の小径ギヤが第２ギヤ６１に噛合する。第２ギヤ６１は原動環４６の外周に形成した周縁ギヤ４６ａに噛合する。
【００３３】
原動環４６は、周縁ギヤ４６ａの内側に光軸Ｏを中心とする環状の回転ガイド部４６ｂを有し、回転ガイド部４６ｂの前端付近の外周部がモータ支持部材４１の回転案内面４１ｅに対して摺動可能に支持されている。この回転案内面４１ｅの案内を受けることにより、原動環４６は光軸Ｏを中心とする回転が可能に支持される。モータ支持部材４１内の挿入規制面４１ｄに対して回転ガイド部４６ｂの前端部が当接することにより、原動環４６はモータ支持部材４１に対する前方への移動が規制される。原動環４６にはさらに、回転ガイド部４６ｂの内径側に光軸Ｏと直交する方向に延びる環状フランジ４６ｃが形成され、環状フランジ４６ｃ上に光軸方向に貫通する回転伝達穴（長穴）４６ｄ（図６、図９、図１１）が形成される。環状フランジ４６ｃの内縁部は、ベース部材１００の中央開口１００ａよりも大径の中央開口４６ｆとなっている。また、環状フランジ４６ｃの後面側には、周方向に位置を異ならせて３つの後方突出部４６ｅ（図７、図１０、図１２）が形成されており、後方突出部４６ｅをベース部材１００の支持面１００ｂに当接させることで、原動環４６の後方への移動が規制される（図１２）。つまり、原動環４６は、挿入規制面４１ｄと支持面１００ｂに挟まれてモータ支持部材４１とベース部材１００に対する光軸方向の移動が規制され、光軸Ｏを中心とする回転は可能となっている。
【００３４】
図１１ないし図１４に示すように、回転環４５は原動環４６の回転ガイド部４６ｂの外側を囲む位置に配された環状部材であり、その外周部がモータ支持部材４１の回転案内面４１ｆに対して摺動可能に支持されている。この回転案内面４１ｆの案内を受けることにより、回転環４５は光軸Ｏを中心とする回転が可能に支持される。回転環４５の前方に環状摩擦板４４が位置し、環状摩擦板４４の前方には摩擦シート４７が位置する。環状摩擦板４４と摩擦シート４７はそれぞれ光軸Ｏを中心とする薄板の環状部材であり、回転環４５に対応する径サイズを有する。回転環４５の外周部に設けた係合突起４５ａと、環状摩擦板４４に設けた係合片部４４ａを係合させることで環状摩擦板４４と回転環４５が結合される（図１２）。より詳しくは、係合片部４４ａには係合突起４５ａを挿入させるスリットが形成され、このスリットは、光軸方向への係合突起４５ａの若干の相対移動を許す長さになっている。一方、光軸Ｏを中心とする周方向へは、係合片部４４ａのスリットに対して係合突起４５ａが移動を規制されて係合している。つまり、回転環４５と環状摩擦板４４は、回転方向には一体化され、光軸方向には若干の相対移動が許容された状態で結合されている。摩擦シート４７は、環状摩擦板４４とモータ支持部材４１の当付凸部４１ｈとの間に挿入されており、摩擦シート４７が当付凸部４１ｈに当接することで、環状摩擦板４４（環状摩擦板４４と回転環４５の結合体）の前方への移動が規制される。
【００３５】
一方、回転環４５は後面側に設けた複数の後方突出部４５ｂをベース部材１００の支持面１００ｂに当接させることで、後方への移動が規制される（図１２）。つまり、回転環４５はモータ支持部材４１の当付凸部４１ｈとベース部材１００の支持面１００ｂの間に挟まれる光軸方向位置にあり、当付凸部４１ｈと回転環４５の間に環状摩擦板４４と摩擦シート４７が挿入された関係にある。回転環４５には、前方に向けて開口するバネ支持穴４５ｃが周方向位置を異ならせて３つ形成され、それぞれのバネ支持穴４５ｃ内に抵抗付与バネ４９が挿入されている（図１２）。抵抗付与バネ４９は、前端部を環状摩擦板４４に当接させ、後端部をバネ支持穴４５ｃの底面に当接させた圧縮バネであり、環状摩擦板４４と回転環４５を光軸方向における離間方向に付勢している。すなわち、環状摩擦板４４を前方、回転環４５を後方に付勢している。この抵抗付与バネ４９の付勢力によって、摩擦シート４７が当付凸部４１ｈに対して押し付けられ、回転環４５の後方突出部４５ｂが支持面１００ｂに対して押し付けられ、環状摩擦板４４と回転環４５の結合体に対して光軸Ｏを中心とする回転方向へ所定の大きさの摩擦抵抗が付与される。なお、摩擦シート４７は環状摩擦板４４に対する摩擦の大きさを調整するものであり、環状摩擦板４４と当付凸部４１ｈの間で十分な摩擦力が得られる場合には摩擦シート４７を省略することも可能である。
【００３６】
フィルタ枠４２は概ね半月状の形状をなす薄板部材であり、一端部付近に前方へ突出する第１支持軸（軸支部）４２ａと第２支持軸（回転伝達部、突起部）４２ｂが形成され、他端部に内径方向へ折れる鈎状のストッパ突起（挿入制御手段、当接部）４２ｃが設けられている。フィルタ枠４２の中央部分には円形のフィルタ開口４２ｄが形成され、フィルタ開口４２ｄを挟んだ外径側と内径側に、外径方向に突出する円弧状をなす外径側縁部（離脱制御手段、離脱規制部）４２ｅと、概ね直線状をなす内径側縁部４２ｆが形成されている。また、外径側縁部４２ｅに隣接する位置にセンサ通過片４２ｇが形成されている。センサ通過片４２ｇは、フィルタ枠４２の本体部分と一体に形成され、光軸Ｏと直交する平面に沿って延設された突出部である。フィルタ枠４２の前面側に偏光フィルタ４３が固定される。偏光フィルタ４３は、フィルタ開口４２ｄの全体を覆い、かつ第１支持軸４２ａ、第２支持軸４２ｂ、ストッパ突起４２ｃ及びセンサ通過片４２ｇとは重ならない形状をなしている。
【００３７】
図１１に示すように、フィルタ枠４２の第１支持軸４２ａは、回転環４５に形成した軸穴４５ｅに対して挿入されている。第１支持軸４２ａは円筒状の外周面形状を有し、軸穴４５ｅはこれに対応する円筒状の内周面形状を有する。これにより、フィルタ枠４２は回転環４５に対して第１支持軸４２ａを中心とする回動（揺動）が可能に支持されている。フィルタ枠４２の第２支持軸４２ｂは、原動環４６に形成した回転伝達穴４６ｄに対して嵌合している。図６や図９に示すように、第２支持軸４２ｂは円筒状の外周面形状を有する一方、回転伝達穴４６ｄは光軸Ｏを中心とする径方向への長穴として形成されており、回転伝達穴４６ｄの対向する一対の内面によって第２支持軸４２ｂを挟むことにより、原動環４６の回転力を第２支持軸４２ｂに伝える。つまり、第２支持軸４２ｂと回転伝達穴４６ｄの嵌合関係により、フィルタ枠４２は原動環４６と共に光軸Ｏを中心として回転する。回転伝達穴４６ｄが径方向への長穴であるため、原動環４６に対するフィルタ枠４２の径方向への若干量の相対移動が許容される。
【００３８】
フィルタ枠４２は、後述する回転環４５と原動環４６の動作によって、フィルタ開口４２ｄの中心を光軸Ｏと一致させる挿入位置（図９、図１０、図１５（Ｂ）ないし（Ｆ）、図１６（Ｃ）ないし（Ｅ）、図１７（Ａ））と、光軸Ｏを通る光路上からフィルタ開口４２ｄを離脱させた完全離脱位置（図６、図７、図１５（Ａ）、図１６（Ａ）、図１７（Ｆ））との間で移動可能である。フィルタ枠４２の完全離脱位置では、外径側縁部４２ｅがフィルタ収納壁部１００ｄの内周面に近接しており、さらなる離脱方向（外径方向）へのフィルタ枠４２の回動が、外径側縁部４２ｅとフィルタ収納壁部１００ｄとの当接によって規制される。外径側縁部４２ｅがフィルタ収納壁部１００ｄに対応しない回転方向位置にあるときは、図１７（Ｂ）ないし（Ｄ）のように、外径側縁部４２ｅが外囲壁部１００ｃの内周面に当接することによって、完全離脱位置よりも手前（内径側）の制限離脱位置で、光軸Ｏからの離脱方向（外径方向）へのフィルタ枠４２の回動が制限される。図１２に示すように、回転環４５と原動環４６にフィルタ枠４２を支持させた状態で、フィルタ枠４２と回転環４５の後方突出部４５ｂは光軸方向における同位置にあり(共通の光軸直交平面内に位置し)、フィルタ枠４２を挿入位置に回動させると、図１０のように複数の後方突出部４５ｂのうちの１つに対してストッパ突起４２ｃが当接して、フィルタ枠４２のそれ以上の挿入方向への回動が規制される。このフィルタ枠４２の挿入位置でのストッパ突起４２ｃの当接対象である後方突出部４５ｂをストッパ部（挿入制御手段、当接部）４５ｂ-１と呼ぶ。なお、ストッパ部４５ｂ-１は、他の後方突出部４５ｂのようにベース部材１００の支持面１００ｂへ当接させず、フィルタ枠４２の回動規制のみを行う部位とすることも可能である。
【００３９】
回転環４５及び原動環４６とフィルタ枠４２との間には、薄板状の保護シート４８が支持される。保護シート４８は、回転環４５及び原動環４６に対するフィルタ枠４２の引っ掛かりを防いでスムーズな動作を行わせる機能を有しており、光軸Ｏが通る中央付近から外径側に向けて貫通する開放開口４８ａを有するＣ字状の形状をなしている。開放開口４８ａを挟んで一対の位置決め穴４８ｂが形成され、それぞれの位置決め穴４８ｂに対して回転環４５に突設した位置決め突起４５ｄ（図７、図１０）が係合することにより、保護シート４８は回転環４５に対して固定的に支持されている。保護シート４８には、開放開口４８ａの周囲に周方向に位置を異ならせて３つの周方向長穴４８ｃが形成されている。それぞれの周方向長穴４８ｃは光軸Ｏを中心とする円弧状の長穴であり、各周方向長穴４８ｃに対して原動環４６の後方突出部４６ｅが挿入されている。周方向長穴４８ｃは後方突出部４６ｅよりも周方向に長く、保護シート４８及び回転環４５に対する原動環４６の所定量の相対回転を許す。３つの周方向長穴４８ｃのうちの１つに連通させて、第１支持軸４２ａや第２支持軸４２ｂとの干渉を防ぐ逃げ穴４８ｄが形成されている（図５、図１０、図１１）。また、保護シート４８は、回転環４５の後方突出部４５ｂと重なる位置に複数の切欠き４８ｅを有しており、回転環４５の後部に支持させたときに後方突出部４５ｂと干渉しない。
【００４０】
偏光フィルタユニット４０を組み立てる際には、モータ支持部材４１に対して後方側から各部材を組み付け、最後にモータ支持部材４１の後部にベース部材１００を取り付ける。詳細には、まず原動環４６の回転ガイド部４６ｂの前端部を、モータ支持部材４１の挿入規制面４１ｄに当接させる。これにより原動環４６は、モータ支持部材４１に対する前方への移動が規制されると共に、回転案内面４１ｅに沿う光軸中心の回転が可能に支持される。続いて、環状摩擦板４４とモータ支持部材４１の当付凸部４１ｈの間に摩擦シート４７を挟持させつつ、環状摩擦板４４と回転環４５の結合体をモータ支持部材４１に組み付ける。これにより環状摩擦板４４と回転環４５は、モータ支持部材４１に対する前方への移動が規制されると共に、回転案内面４１ｆに沿う光軸中心の回転が可能に支持される。なお、環状摩擦板４４と回転環４５は、抵抗付与バネ４９を互いの間に挿入したアッセンブリとして予め組み立てておくことが望ましい。さらに回転環４５の後部に保護シート４８が取り付けられ、保護シート４８に形成した周方向長穴４８ｃに対して原動環４６の後方突出部４６ｅが挿入される。この段階で、回転環４５の軸穴４５ｅと原動環４６の回転伝達穴４６ｄが後方に向けて露出しており、軸穴４５ｅと回転伝達穴４６ｄに対してそれぞれに対応する第１支持軸４２ａと第２支持軸４２ｂを挿入させてフィルタ枠４２を組み付ける。フィルタ枠４２には偏光フィルタ４３を予め取り付けておく。
【００４１】
最後に、外周嵌合部４１ｇに対して外囲壁部１００ｃの前端を嵌合させ、かつ３つの係止突起４１ｃと係止片１００ｆを係合させて、モータ支持部材４１の後部にベース部材１００を固定する。各係止突起４１ｃは、後方から前方に進むにつれて外径方向への突出量を大きくするテーパー面を有し、モータ支持部材４１に対してベース部材１００を相対的に前方に移動させると、係止片１００ｆが弾性変形しながら係止突起４１ｃのテーパー面を乗り越え、係止片１００ｆの穴が係止突起４１ｃに対応する位置まで達すると、係止片１００ｆの弾性変形が解除されて係止突起４１ｃとの係合状態が維持される。こうしてモータ支持部材４１とベース部材１００を組み合わせた状態では、モータ支持部材４１内に組み付けた各部材の後方への脱落が、ベース部材１００の支持面１００ｂによって防がれる。つまり、モータ支持部材４１とベース部材１００の間に各部材が保持される。また、抵抗付与バネ４９が環状摩擦板４４と回転環４５の間で圧縮された状態になり、環状摩擦板４４と回転環４５に対して前述した摩擦抵抗が作用するようになる。
【００４２】
以上のように組み立てた偏光フィルタユニット４０（シャッタユニット８１を含む）は、筒状部８ａの前端部に形成した挿入規制部８ｅ（図１、図２、図４）に対してシャッタユニット８１の後部を当接させて、２群レンズ移動環８の前部に固定される。２群レンズ移動環８は筒状部８ａから前方に突出する３つの係止片８ｆを有し、この係止片８ｆをそれぞれベース部材１００の係止突起１００ｈに係合させることで、偏光フィルタユニット４０が固定される。各係止片８ｆは、径方向に貫通する穴を有している。各係止突起１００ｈは、後方から前方に進むにつれて外径方向への突出量を大きくするテーパー面を有し、偏光フィルタユニット４０に対して２群レンズ移動環８を相対的に前方に移動させると、係止片８ｆが弾性変形しながら係止突起１００ｈのテーパー面を乗り越え、係止片８ｆの穴が係止突起１００ｈに対応する位置まで達すると、係止片８ｆの弾性変形が解除されて係止突起１００ｈとの係合状態が維持される。
【００４３】
図１８に示すように、ズームレンズ鏡筒ＺＬが搭載されるカメラには、偏光フィルタユニット４０に関する操作手段として、フィルタ挿入スイッチ７１、フィルタ離脱スイッチ（入力部、回転光学要素離脱スイッチ）７２、フィルタ回転スイッチ７３、電源スイッチ（入力部）７４が設けられている。偏光フィルタ４３が完全離脱位置にあるときにフィルタ挿入スイッチ７１が操作されると、フィルタ挿入スイッチ７１から制御回路７０に挿入駆動指示信号が入力する。偏光フィルタ４３が挿入位置にあるときにフィルタ離脱スイッチ７２が操作されると、フィルタ離脱スイッチ７２から制御回路７０に離脱駆動指示信号が入力する。フィルタ回転スイッチ７３が操作されると、フィルタ回転スイッチ７３から制御回路７０にフィルタ回転指示信号が入力する。電源スイッチ７４はカメラの電源のオンオフ状態を切り替えるものであり、偏光フィルタ４３が挿入位置にあるときに電源スイッチ７４がオンからオフに切り替えられると、電源スイッチ７４から制御回路７０に離脱駆動指示信号が入力する。
【００４４】
制御回路（離脱駆動モード設定部）７０は、フィルタ離脱スイッチ７２から離脱駆動指示信号が入力したときは、偏光フィルタ４３の離脱駆動モードとして、後述する「ケラレ防止優先離脱駆動モード」を設定する。一方、制御回路（離脱駆動モード設定部）７０は、電源スイッチ７４から離脱駆動指示信号が入力したときは、偏光フィルタ４３の離脱駆動モードとして、後述する「速度優先離脱駆動モード」を設定する。
【００４５】
図１８に示すように、ズームレンズ鏡筒ＺＬが搭載されるカメラには、偏光フィルタユニット４０に関する操作手段として、離脱駆動モード切替スイッチ（離脱駆動モード設定部）７５が設けられている。この離脱駆動モード切替スイッチ７５を操作することで、上述した制御回路（離脱駆動モード設定部）７０による自動設定ではなく、ユーザの趣向に基づく手動操作によって、偏光フィルタ４３の離脱駆動モードが「ケラレ防止優先離脱駆動モード」と「速度優先離脱駆動モード」との間で切り替えられる。なお、離脱駆動モード切替スイッチ７５によりいずれの離脱駆動モードも設定されていないときは、上述した制御回路（離脱駆動モード設定部）７０による離脱駆動モードの自動設定が行われるようにすることができる。
【００４６】
図１８に示すように、ズームレンズ鏡筒ＺＬが搭載されるカメラには、偏光フィルタユニット４０に関するセンサ類として、偏光フィルタ４３の回転角度位置を検出する回転角度位置検知センサ（挿脱駆動機構、検出部）６６が設けられている。回転角度位置検知センサ６６は、例えばフィルタ駆動モータ１８０に設けたホールＩＣからなり、このホールＩＣの出力を読み取ることで、フィルタ駆動モータ１８０のロータの回転角度に応じた偏光フィルタ４３の回転角度位置が検出される。
【００４７】
以上の構成による偏光フィルタユニット４０の動作を説明する。前述のように、偏光フィルタユニット４０は、モータ支持部材４１とベース部材１００の間に、環状摩擦板４４、回転環４５、原動環４６、摩擦シート４７、保護シート４８といった環状の部材を保持しており、これらの各部材が光路（光軸Ｏ）上に有する開口よりもベース部材１００の中央開口１００ａの方が小径である（図１１ないし図１４参照）。つまり、フィルタ枠４２と偏光フィルタ４３を除いた偏光フィルタユニット４０における光路上の最小開口は、ベース部材１００の中央開口１００ａによって規定される（逆に言うとフィルタ枠４２と偏光フィルタ４３は中央開口１００ａの内部に入り得る）。偏光フィルタ４３は、この中央開口１００ａの前方に進出する挿入状態と、中央開口１００ａの外径側に離脱する離脱状態にすることが可能であり、さらに挿入状態では光軸Ｏを中心とする回転（自転）を行うことができる。光路に対する偏光フィルタ４３の挿脱は、前述したフィルタ枠４２の挿入位置と完全離脱位置との回動によって行われ、挿入状態での偏光フィルタ４３の回転は、回転環４５と原動環４６の回転によって行われる。
【００４８】
より具体的に、偏光フィルタ４３を挿脱するための偏光フィルタユニット４０の動作は、「フィルタ枠４２の完全離脱位置から挿入位置への差動回転動作」と、「フィルタ枠４２の挿入位置における連れ回り正回転動作」と、「フィルタ枠４２の挿入位置から制限離脱位置への差動回転動作」と、「フィルタ枠４２の制限離脱位置における連れ回り逆回転動作」との４つに大別される。以下では、これらの各動作について詳細に説明する。
【００４９】
「フィルタ枠４２の完全離脱位置から挿入位置への差動回転動作」
図６、図７、図１５（Ａ）、図１６（Ａ）、図１７（Ｆ）は偏光フィルタ４３の離脱状態を示している。フィルタ枠４２は、ベース部材１００のフィルタ収納壁部１００ｄ内に進入した完全離脱位置にあり、フィルタ収納壁部１００ｄの内壁面に沿って外径側縁部４２ｅが位置し、フィルタ枠４２のそれ以上の離脱位置方向(外径方向）への回動が規制される。フィルタ枠４２の内径側縁部４２ｆはベース部材１００の中央開口１００ａよりも外径側に位置していて、フィルタ枠４２が中央開口１００ａを通る光束を遮ることがない。フィルタ枠４２のセンサ通過片４２ｇが、センサ用穴１００ｅを通して、離脱検知センサ６５を構成するフォトインタラプタの発光部と受光部の間に進入している。センサ通過片４２ｇによってフォトインタラプタの受光部への光の入射が遮られることで、フィルタ枠４２が完全離脱位置にあることが検出される。
【００５０】
フィルタ挿入スイッチ７１の操作によって偏光フィルタ４３の挿入動作が実行される。偏光フィルタ４３の挿入時には、フィルタ駆動モータ１８０によって原動環４６が図１５及び図１６のＮ１方向に回転される。Ｎ１は、偏光フィルタ４３を挿入させる方向の回転である。原動環４６がＮ１方向に回転すると、回転伝達穴４６ｄの側面からフィルタ枠４２の第２支持軸４２ｂに対して光軸中心の回転方向の力が伝えられる。ここで、フィルタ枠４２の第１支持軸４２ａを軸穴４５ｅで支持する回転環４５には、抵抗付与バネ４９の付勢力によって回転方向への摩擦抵抗が作用しており、第１支持軸４２ａと偏心した位置にある第２支持軸４２ｂを原動環４６によってＮ１方向に押圧されたフィルタ枠４２が、第１支持軸４２ａと軸穴４５ｅの軸線を中心として、完全離脱位置から挿入位置方向へ回動しようとする。しかし、センサ用穴１００ｅに挿入されたフィルタ枠４２のセンサ通過片４２ｇに対向して、光軸Ｏに近い径方向内側にベース部材１００の規制壁部１００ｉが位置しており、センサ通過片４２ｇと規制壁部１００ｉの当接によって挿入位置方向へのフィルタ枠４２の回動が規制される。すると、第１支持軸４２ａと軸穴４５ｅの嵌合によってフィルタ枠４２から回転環４５に伝達されるＮ１方向の回転駆動力が、抵抗付与バネ４９の付勢力による摩擦抵抗を上回り、回転環４５（環状摩擦板４４と回転環４５と保護シート４８の結合体）が原動環４６と共にＮ１方向に回転する。回転環４５に伴ってフィルタ枠４２もＮ１方向に回転し、センサ通過片４２ｇがセンサ用穴１００ｅから抜ける。
【００５１】
これにより、規制壁部１００ｉによる規制が解除されてフィルタ枠４２が挿入位置へ回動可能になる。抵抗付与バネ４９の付勢力は、フィルタ枠４２の挿脱方向の回動が規制されない状態では、フィルタ枠４２のみを挿脱方向に回動させて回転環４５を回転させない摩擦抵抗を与える大きさに設定されている。よって、センサ通過片４２ｇがセンサ用穴１００ｅから抜けると、回転環４５が原動環４６と連れ回りせずに停止した状態になり、第２支持軸４２ｂを原動環４６によってＮ１方向に押圧されたフィルタ枠４２が、第１支持軸４２ａと軸穴４５ｅの軸線を中心として、完全離脱位置から挿入位置方向への回動を開始する（図１６（Ｂ））。この回転環４５に対する原動環４６の相対回動時には、後方突出部４６ｅが周方向長穴４８ｃ内を周方向に移動し、保護シート４８が原動環４６の回転を妨げない。
【００５２】
フィルタ枠４２が図９、図１０、図１５（Ｂ）、図１６（Ｃ）の挿入位置まで達すると、回転環４５に設けたストッパ部４５ｂ-１（複数の後方突出部４５ｂのうちの１つ）に対してストッパ突起４２ｃが当接する。このときフィルタ枠４２のフィルタ開口４２ｄの中心が光軸Ｏと一致し、偏光フィルタ４３がベース部材１００の中央開口１００ａの前方の光路上に挿入された状態になる。ストッパ突起４２ｃがストッパ部４５ｂ-１に当接すると、回転環４５に対するフィルタ枠４２の挿入位置方向への回動が規制される。
【００５３】
「フィルタ枠４２の挿入位置における連れ回り正回転動作」
フィルタ枠４２が挿入位置にある状態で、フィルタ回転スイッチ７３の操作に応じて偏光フィルタ４３を光軸中心に回転させることができる。偏光フィルタ４３の光軸中心の回転を行わせるときには、フィルタ駆動モータ１８０によって原動環４６がＮ１方向に回転される。すると、回転伝達穴４６ｄと第２支持軸４２ｂとの嵌合関係によってフィルタ枠４２に対してＮ１方向の回転力が伝えられる。ここで、ストッパ突起４２ｃとストッパ部４５ｂ-１の当接によって回転環４５に対するフィルタ枠４２の挿入位置方向への回動が規制されているため、第１支持軸４２ａと軸穴４５ｅの嵌合によってフィルタ枠４２から回転環４５に伝達されるＮ１方向の回転駆動力が、抵抗付与バネ４９の付勢力による摩擦抵抗を上回り、回転環４５（環状摩擦板４４と回転環４５と保護シート４８の結合体）が原動環４６と共にＮ１方向に回転する（図１５（Ｃ）〜（Ｆ）、図１６（Ｄ）〜（Ｅ））。回転環４５と原動環４６が連れ回りする状態では、フィルタ枠４２の第１支持軸４２ａと第２支持軸４２ｂが挿入する軸穴４５ｅと回転伝達穴４６ｄの相対位置が変化しないため、フィルタ枠４２は偏光フィルタ４３を光路上に挿入した挿入位置を保ちつつ、回転環４５及び原動環４６と共に光軸Ｏを中心として回転する。つまり、偏光フィルタ４３が光軸Ｏを中心として回転される。フィルタ駆動モータ１８０を停止させると偏光フィルタ４３の回転が停止する。
【００５４】
「フィルタ枠４２の挿入位置から制限離脱位置への差動回転動作」
フィルタ離脱スイッチ７２の操作によって偏光フィルタ４３の離脱動作が実行される。偏光フィルタ４３の離脱時には、フィルタ駆動モータ１８０によって原動環４６が図１７のＮ２方向に回転される。Ｎ２は、偏光フィルタ４３を離脱させる方向の回転である。原動環４６のＮ２方向の回転力が回転伝達穴４６ｄと第２支持軸４２ｂを介してフィルタ枠４２に対して伝えられると、回転環４５に対してフィルタ枠４２が、第１支持軸４２ａと軸穴４５ｅの軸線を中心として、ストッパ突起４２ｃをストッパ部４５ｂ-１から離間させる方向、すなわち挿入位置から離脱位置方向へ回動される。このとき回転環４５には抵抗付与バネ４９の付勢力による摩擦抵抗が作用しており、回転環４５は原動環４６と連れ回りせずに停止した状態を保つ。フィルタ枠４２が離脱位置方向へ向けて回動すると、図１７（Ｂ）のように、フィルタ枠４２の外径側縁部４２ｅがベース部材１００の外囲壁部１００ｃの内壁面に当接し、フィルタ枠４２が完全離脱位置よりも離脱量の小さい制限離脱位置で停止される。この制限離脱位置では、フィルタ枠４２の内径側縁部４２ｆがベース部材１００の中央開口１００ａよりも内径側に位置していて、内径側縁部４２ｆが中央開口１００ａを通る光束を遮る可能性がある。
【００５５】
「フィルタ枠４２の制限離脱位置における連れ回り逆回転動作」
フィルタ枠４２が制限離脱位置にある状態で原動環４６をさらにＮ２方向に回転させると、フィルタ枠４２の第１支持軸４２ａと軸穴４５ｅの嵌合によって回転環４５に伝達されるＮ２方向の回転駆動力が、抵抗付与バネ４９の付勢力による摩擦抵抗を上回り、回転環４５（環状摩擦板４４と回転環４５と保護シート４８の結合体）が原動環４６と共に回転する。回転環４５と原動環４６がＮ２方向に連れ回りすると、図１７（Ｃ）〜（Ｄ）のように外囲壁部１００ｃに対して外径側縁部４２ｅを摺接させながら、フィルタ枠４２が光軸Ｏを中心とするＮ２方向の回転動作を行う。
【００５６】
ここで、フィルタ枠４２が制限離脱位置でＮ２方向に回転動作するとき、フィルタ枠４２の内径側縁部４２ｆが、中央開口１００ａの内径側で仮想円を描くように光軸Ｏを中心として回動する。このため、撮影光学系の有効光束の径（可変開口絞りの可変開口径により規定される）がこの仮想円の径よりも大きいときは、離脱駆動に伴ってフィルタ枠４２の内径側縁部４２ｆが撮影光学系の有効光束を遮ることでケラレが発生する。
【００５７】
ベース部材１００の外囲壁部１００ｃとフィルタ収納壁部１００ｄの境界部を超える位置までフィルタ枠４２がＮ２方向に回転されると、フィルタ枠４２は、外囲壁部１００ｃによる制限離脱位置での保持が解除され、図１７（Ｅ）のように外径側縁部４２ｅをフィルタ収納壁部１００ｄの内壁面に当接させる位置まで離脱位置方向へ回動され、外径側縁部４２ｅをフィルタ収納壁部１００ｄの内壁面に対して摺接させながら引き続きＮ２方向に回転される。外囲壁部１００ｃの内壁面は光軸Ｏを中心とする円筒面であるため、フィルタ枠４２が外囲壁部１００ｃに対して外径側縁部４２ｅを摺接させている図１７（Ｃ）〜（Ｄ）の状態では、回転環４５と原動環４６は一体的に回転されている。一方、フィルタ収納壁部１００ｄの内壁面は、外囲壁部１００ｃの内壁面よりも曲率の大きい曲面であるため、外径側縁部４２ｅをフィルタ収納壁部１００ｄの内壁面に沿って移動させるときのフィルタ枠４２は、光軸Ｏを中心とするＮ２方向への回転動作（原動環４６に伴う回転）に加えて、第１支持軸４２ａと軸穴４５ｅの軸線を中心とする回動（回転環４５に対する相対回動）も行う。この回転環４５に対するフィルタ枠４２の相対回動時には、Ｎ２方向への回転を継続する原動環４６と、抵抗付与バネ４９による摩擦抵抗で回転停止しようとする回転環４５との間で単位時間あたりの回転量に差が生じ、回転環４５よりも原動環４６の方が回転量が大きくなる。これによりフィルタ枠４２が完全離脱位置まで回動される。つまり、フィルタ収納壁部１００ｄの内壁面が、フィルタ枠４２を制限離脱位置から完全離脱位置まで案内するガイド面として機能する。そして、フィルタ枠４２の離脱動作の最終段階で、センサ通過片４２ｇがセンサ用穴１００ｅを通して離脱検知センサ６５の発光部と受光部の間に進入し、フィルタ枠４２の完全離脱位置への到達が検出される。このセンサ検出に応じてフィルタ駆動モータ１８０が停止され、偏光フィルタ４３の離脱動作が完了する（図１７（Ｆ））。換言すれば、フィルタ枠４２は、フィルタ収納壁部１００ｄの内壁面によって案内されるときの光軸中心（Ｎ２方向）回転と第１支持軸４２ａを中心とする回動との複合動作によって、確実に完全離脱位置まで到達すると共に、センサ通過片４２ｇを離脱検知センサ６５による検出位置まで進入させるようになっている。
【００５８】
なお、特定の回転方向位置からフィルタ枠４２の離脱動作を開始した場合は、外径側縁部４２ｅが外囲壁部１００ｃに当接する制限離脱位置の段階を経ずに、最初から図１７（Ｅ）のようにフィルタ収納壁部１００ｄの内壁面に当接する。この場合も離脱動作の最終段階は前述と同様であり、フィルタ枠４２は、第１支持軸４２ａを中心とする回動を行いながらＮ２方向に回転し、センサ通過片４２ｇをセンサ用穴１００ｅに進入させて完全離脱位置に達する。
【００５９】
本実施形態では、フィルタ枠４２が挿入位置にある場合において、フィルタ離脱スイッチ７２または電源スイッチ７４から制御回路（制御部）７０に離脱駆動指示信号が入力したとき、偏光フィルタ４３の離脱駆動モードが「ケラレ防止優先離脱駆動モード」と「速度優先離脱駆動モード」のいずれに設定されているかに応じて、制御回路（制御部）７０による偏光フィルタ４３の離脱駆動制御を異なる態様となるように使い分けている。以下、「ケラレ防止優先離脱駆動モード」と「速度優先離脱駆動モード」における偏光フィルタ４３の離脱駆動制御について詳細に説明する。
【００６０】
「ケラレ防止優先離脱駆動モード」と「速度優先離脱駆動モード」における偏光フィルタ４３の離脱駆動制御を説明する上で、フィルタ枠４２の「離脱直前位置」という概念が重要となる。図１９に示すように、フィルタ枠４２の「離脱直前位置」は、フィルタ枠４２の制限離脱位置の一部として含まれるものであり、「連れ回り逆回転動作」によってフィルタ枠４２がα°だけ回動したときにフィルタ枠４２が制限離脱位置から完全離脱位置に移行する位置を意味している。制限離脱位置から完全離脱位置への移行に際してのフィルタ枠４２の回動移動量α°は、０°＜α°＜１８０°、好ましくは０°＜α°＜９０°、より好ましくは０°＜α°＜３０°を満足する範囲で設定することができる。「ケラレ防止優先離脱駆動モード」と「速度優先離脱駆動モード」では、完全離脱位置への移行直前に必ずこの「離脱直前位置」を経由するが、この「離脱直前位置」に移行させるまでの制御が大きく異なっている。
【００６１】
「ケラレ防止優先離脱駆動モード」
このモードは、偏光フィルタ４３の離脱駆動の速度を多少犠牲にしてでも、フィルタ枠４２（内径側縁部４２ｆ）が撮影光学系の有効光束を遮ることでケラレが発生するのを防止することを目的としている。
【００６２】
図２０（Ａ）〜（Ｂ）に示すように、制御回路７０は、離脱駆動指示信号の入力を受けると、フィルタ駆動モータ１８０によって原動環４６をＮ１方向に回転させることで、フィルタ枠４２が離脱直前位置に相当する回転角度位置に到達するまで、フィルタ枠４２を挿入位置に位置させたままで、「連れ回り正回転動作」を行わせる。この「連れ回り正回転動作」の間、フィルタ枠４２が撮影光学系の有効光束を遮ることはなくケラレは発生しない。
【００６３】
図２０（Ｃ）に示すように、制御回路７０は、フィルタ枠４２が離脱直前位置に相当する回転角度位置に到達した後に、フィルタ駆動モータ１８０によって原動環４６をＮ２方向に回転させることで「差動回転動作」を行わせて、フィルタ枠４２を挿入位置から離脱直前位置に移行させる。この離脱直前位置で初めて、フィルタ枠４２が撮影光学系の有効光束を遮ってケラレが発生するおそれが生じる。図２０（Ｃ）では、フィルタ枠４２のうちケラレの原因となり得る部分を網掛け表示している。
【００６４】
図２０（Ｃ）〜（Ｅ）に示すように、制御回路７０は、フィルタ枠４２を挿入位置から離脱直前位置に移行させた後に、さらにフィルタ駆動モータ１８０によって原動環４６をＮ２方向に回転させることで「連れ回り逆回転動作」を行わせて、フィルタ枠４２を離脱直前位置から完全離脱位置に移行させる。
【００６５】
このように「ケラレ防止優先離脱駆動モード」では、「連れ回り正回転動作」によってフィルタ枠４２を挿入状態のまま離脱直前位置に相当する回転角度位置まで回転させた後に、「差動回転動作」によってフィルタ枠４２を挿入位置から離脱直前位置まで一気に移行させる。つまり、フィルタ枠４２が制限離脱位置にある時間を極限まで短くすることで、フィルタ枠４２が撮影光学系の有効光束を遮ることでケラレが発生するのを効果的に防止している。
【００６６】
「速度優先離脱駆動モード」
このモードは、偏光フィルタ４３の離脱駆動に伴うケラレの発生を問題視することなく、少しでも早く偏光フィルタ４３を離脱駆動させることを目的としている。
【００６７】
制御回路７０は、離脱駆動指示信号の入力を受けると、離脱駆動指示信号を入力した時点における偏光フィルタ４２の回転角度位置を回転角度位置検知センサ６６から取得する。
【００６８】
制御回路７０は、取得した偏光フィルタ４２の回転角度位置に基づいて、「差動回転動作」によってフィルタ枠４２を挿入位置から制限離脱位置に移行させた後に「連れ回り逆回転動作」によってフィルタ枠４２を離脱直前位置に位置させる場合と、「連れ回り正回転動作」によってフィルタ枠４２を離脱直前位置に相当する回転角度位置に到達させた後に「差動回転動作」によってフィルタ枠４２を離脱直前位置に位置させる場合とのうち、要する時間が短い方の動作を選択してこれを実行させる。
【００６９】
より具体的に制御回路７０は、図２１に示すように、離脱直前位置における偏光フィルタ４２の回転角度位置をβ、離脱駆動指示信号を入力した時点における偏光フィルタ４２の回転角度位置をγとしたときに、β＋１８０＜γ（但し、図２１中の時計回り方向（Ｎ１方向）の回転を正の値とする）が成立するか否かを判定する。
【００７０】
制御回路７０は、β＋１８０＜γが成立する（例えば図２１中のγ１）と判定したときは、「連れ回り正回転動作」によってフィルタ枠４２を離脱直前位置に相当する回転角度位置に到達させた後に「差動回転動作」によってフィルタ枠４２を離脱直前位置に位置させる動作を行わせる。
【００７１】
制御回路７０は、β＋１８０＜γが成立しない（例えば図２１中のγ２）と判定したときは、「差動回転動作」によってフィルタ枠４２を挿入位置から制限離脱位置に移行させた後に「連れ回り逆回転動作」によってフィルタ枠４２を離脱直前位置に位置させる動作を行わせる。
【００７２】
制御回路７０は、フィルタ枠４２を離脱直前位置に移行させた後に「連れ回り逆回転動作」を行わせて、フィルタ枠４２を離脱直前位置から完全離脱位置に移行させる。
【００７３】
このように「速度優先離脱駆動モード」では、離脱駆動指示信号を入力した時点における偏光フィルタ４２の回転角度位置に基づいて、フィルタ枠４２を離脱直前位置にいち早く移行できる動作を選択してこれを実行している。これにより、離脱駆動指示信号が入力してから偏光フィルタ４２を完全離脱位置に移行させるまでに要する離脱駆動時間を極限まで短くすることができる。
【００７４】
続いて、図２２のフローチャートを参照して、偏光フィルタ４３の離脱駆動時における制御回路７０による制御内容について説明する。
【００７５】
フィルタ枠４２（偏光フィルタ４３）が挿入位置にある電源オン状態において、フィルタ離脱スイッチ７２または電源スイッチ７４が操作されると（ステップＳ１：ＹＥＳ）、フィルタ離脱スイッチ７２または電源スイッチ７４から制御回路７０に離脱駆動指示信号が入力する（ステップＳ２）。
【００７６】
制御回路７０は、偏光フィルタの離脱駆動モードとして、「ケラレ防止優先離脱駆動モード」と「速度優先離脱駆動モード」のいずれかが設定されているか否かを判定する（ステップＳ３、ステップＳ４）。
【００７７】
制御回路７０は、「ケラレ防止優先離脱駆動モード」が設定されているときは（ステップＳ３：ＹＥＳ）、「連れ回り正回転動作」によってフィルタ枠４２を離脱直前位置に相当する回転角度位置に到達させた後に「差動回転動作」によってフィルタ枠４２を離脱直前位置に位置させる（ステップＳ５）。
【００７８】
制御回路７０は、「速度優先離脱駆動モード」が設定されているときは（ステップＳ３：ＮＯ、ステップＳ４：ＹＥＳ）、離脱駆動指示信号が入力した時点における偏光フィルタ４２の回転角度位置γを回転角度位置検知センサ６６から取得する（ステップＳ６）。
【００７９】
さらに制御回路７０は、離脱直前位置における偏光フィルタ４２の回転角度位置をβとしたときに、β＋１８０＜γが成立するか否かを判定する（ステップＳ７）。
【００８０】
制御回路７０は、β＋１８０＜γが成立すると判定したときは（ステップＳ７：ＹＥＳ）、「連れ回り正回転動作」によってフィルタ枠４２を離脱直前位置に相当する回転角度位置に到達させた後に「差動回転動作」によってフィルタ枠４２を離脱直前位置に位置させる（ステップＳ５）。
【００８１】
制御回路７０は、β＋１８０＜γが成立しないと判定したときは（ステップＳ７：ＮＯ）、「差動回転動作」によってフィルタ枠４２を挿入位置から制限離脱位置に移行させた後に「連れ回り逆回転動作」によってフィルタ枠４２を離脱直前位置に位置させる（ステップＳ８）。
【００８２】
なお、制御回路７０は、「ケラレ防止優先離脱駆動モード」と「速度優先離脱駆動モード」のいずれも設定されていないときは（ステップＳ３：ＮＯ、ステップＳ４：ＮＯ）、「差動回転動作」によってフィルタ枠４２を挿入位置から制限離脱位置に移行させた後に「連れ回り逆回転動作」によってフィルタ枠４２を離脱直前位置に位置させる（ステップＳ８）。
【００８３】
最後に制御回路７０は、「連れ回り逆回転動作」によってフィルタ枠４２を離脱直前位置から完全離脱位置に移行させる（ステップＳ９）。
【００８４】
以上のように、本実施形態の撮影装置によれば、制御部（７０）が、入力部（７２、７４）が離脱駆動指示信号を入力したとき、離脱駆動モード設定部（７０、７５）がケラレ防止優先離脱駆動モードと速度優先離脱駆動モードのいずれを設定しているかに応じて、挿脱駆動機構による回転光学要素４３の離脱駆動を異なる態様で制御している。これにより、回転光学要素４３を挿入位置から離脱位置に離脱駆動させるときに、使用状況やユーザの趣向に応じて、ケラレの発生の防止を優先するか又は離脱駆動の速度を優先するかを最適設定することができる。
【００８５】
以上の実施形態の偏光フィルタユニットでは、光路上への偏光フィルタ４３の挿脱動作と光路上での偏光フィルタ４３の回転動作を、回転環４５と原動環４６の相対回転と一体回転の切り替えによって行わせており、偏光フィルタ４３を保持して挿脱方向に移動されるフィルタ枠４２は、複雑な可動部を備えない小型軽量な薄板部材となっている。そのため、偏光フィルタ４３の駆動機構の光軸方向での薄型化を図ることができる。また、偏光フィルタ４３を動作させる際の駆動負荷を小さく抑えることができ、省電力性や動作の応答性についても優れている。
【００８６】
さらに、偏光フィルタ４３を離脱移動させる際に、光路上から完全に離脱される完全離脱位置には特定の回転方向位置でのみ移動可能とし、それ以外の回転方向位置では、完全離脱位置よりも離脱量の小さい制限離脱位置でフィルタ枠４２の回動を規制しながら、フィルタ枠４２の光軸中心の回転動作を許す構造としている。これにより、偏光フィルタユニットの径サイズを全周に亘って完全離脱位置に対応する大きさにせずに済み、径方向における偏光フィルタユニットの大型化を防ぐことができる。また、フィルタ枠４２の完全離脱位置が回転方向の特定位置に設定されているため、離脱検知センサ６５による簡略な構成で確実に離脱状態を検出することができる。フィルタ枠４２に対してこのような離脱動作制御を行わせる部位は、偏光フィルタユニットを構成する可動部材に対する支持部材であるベース部材１００やモータ支持部材４１に壁面やカム面の形態で形成されているため、構造的には省スペースかつ簡易なものであり、低コストに製造することができる。
【００８７】
以上、図示実施形態に基づき説明したが、本発明は図示実施形態に限定されるものではなく、偏光フィルタ４３の駆動装置の細部に関し、発明の要旨を逸脱しない範囲で図示実施形態と異なる構成を採用することも可能である。
【００８８】
例えば、図示実施形態の偏光フィルタユニットでは、フィルタ枠４２が完全離脱位置にあるときに、センサ通過片４２ｇとベース部材１００の規制壁部１００ｉとの係合によって、フィルタ枠４２が挿入位置方向へ回動することを規制しているが、こうした規制壁部１００ｉによる離脱保持構造を省略しても本発明は有効である。この場合、図６のフィルタ離脱状態で原動環４６を同図のＮ１方向に回転駆動させると、回転環４５を回転させずに、第１支持軸４２ａを中心としてフィルタ枠４２の挿入位置への回動を直ちに開始させることができる。
【００８９】
また、図示実施形態では、フィルタ挿入スイッチ７１、フィルタ離脱スイッチ７２及びフィルタ回転スイッチ７３の操作によって偏光フィルタ４３の挿脱動作と光路上での回転動作を行わせるとしているが、これ以外の操作手段によって偏光フィルタ４３の動作を行わせてもよい。あるいは、手動操作によらず自動制御で偏光フィルタ４３を動作させるタイプの光学機器にも適用が可能である。
【００９０】
また、図示実施形態は回転光学要素として偏光フィルタ４３を適用しているが、偏光フィルタ以外にもクロスフィルタや多面効果フィルタなど、光路上に挿入された状態で回転することにより光学的効果を生ずる光学要素の駆動装置であれば、本発明は適用可能である。
【符号の説明】
【００９１】
ＬＧ１  第１レンズ群
ＬＧ２  第２レンズ群
ＬＧ３  第３レンズ群
Ｏ  光軸
Ｓ  シャッタ
ＺＬ  ズームレンズ鏡筒
８  ２群レンズ移動環
８ｅ  挿入規制部
８ｆ  係止片
１１  カム環
１２  繰出筒
１３  直進案内環
２１  撮像素子ホルダ
２２  ハウジング
２６  撮像素子
４０  偏光フィルタユニット
４１  モータ支持部材（挿脱駆動機構、支持部材）
４１ａ  前方開口
４１ｂ  センサ支持部
４１ｃ  係止突起
４１ｄ  挿入規制面
４１ｅ  ４１ｆ  回転案内面
４１ｇ  外周嵌合部
４１ｈ  当付凸部
４１ｉ  モータ支持部
４２  フィルタ枠（挿脱駆動機構、保持部材）
４２ａ  第１支持軸（軸支部）
４２ｂ  第２支持軸（回転伝達部、突起部）
４２ｃ  ストッパ突起（挿入制御手段、当接部）
４２ｄ  フィルタ開口
４２ｅ  外径側縁部（離脱制御手段、離脱規制部）
４２ｆ  内径側縁部
４２ｇ  センサ通過片
４３  偏光フィルタ（回転光学要素）
４４  環状摩擦板（挿脱駆動機構、従動回転部材）
４４ａ  係合片部
４５  回転環（挿脱駆動機構、従動回転部材）
４５ａ  係合突起
４５ｂ  後方突出部
４５ｂ-１  ストッパ部（挿入制御手段、当接部）
４５ｃ  バネ支持穴
４５ｄ  位置決め突起
４５ｅ  軸穴
４６  原動環（挿脱駆動機構、原動回転部材）
４６ａ  周縁ギヤ
４６ｂ  回転ガイド部
４６ｃ  環状フランジ
４６ｄ  回転伝達穴（長穴）
４６ｅ  後方突出部
４６ｆ  中央開口
４７  摩擦シート（挿脱駆動機構）
４８  保護シート（挿脱駆動機構、従動回転部材）
４８ａ  開放開口
４８ｂ  位置決め穴
４８ｃ  周方向長穴
４８ｄ  逃げ穴
４８ｅ  切欠き
４９  抵抗付与バネ（挿脱駆動機構、抵抗付与手段、付勢部材）
５１  ３群レンズ枠
６０  第１ギヤ
６０ａ  ギヤ支持軸
６１  第２ギヤ
６１ａ  ギヤ支持軸
６５  離脱検知センサ（フィルタ検知センサ）
６６  回転角度位置検知センサ（挿脱駆動機構、検出部）
７０  制御回路（制御部、離脱駆動モード設定部）
７１  フィルタ挿入スイッチ
７２  フィルタ離脱スイッチ（入力部、回転光学要素離脱スイッチ）
７３  フィルタ回転スイッチ
７４  電源スイッチ（入力部）
７５  離脱駆動モード切替スイッチ（離脱駆動モード設定部）
８０  ２群レンズブロック
８１  シャッタユニット
８２  シャッタアクチュエータ
１００  ベース部材（挿脱駆動機構、支持部材）
１００ａ  中央開口
１００ｂ  支持面
１００ｃ  外囲壁部（離脱制御手段、円筒壁部）
１００ｄ  フィルタ収納壁部（離脱制御手段、収納壁部）
１００ｅ  センサ用穴
１００ｆ  係止片
１００ｇ  ギヤ支持部
１００ｈ  係止突起
１００ｉ  規制壁部
１００ｊ  センサ支持片
１５０  鏡筒駆動モータ
１６０  ＡＦモータ
１８０  フィルタ駆動モータ（挿脱駆動機構、回転光学要素の駆動源）
１８０ａ  ピニオン
１８０ｂ  支持板
【図１】
2013210481.tif 000003
【図２】
2013210481.tif 000004
【図３】
2013210481.tif 000005
【図４】
2013210481.tif 000006
【図５】
2013210481.tif 000007
【図６】
2013210481.tif 000008
【図７】
2013210481.tif 000009
【図８】
2013210481.tif 000010
【図９】
2013210481.tif 000011
【図１０】
2013210481.tif 000012
【図１１】
2013210481.tif 000013
【図１２】
2013210481.tif 000014
【図１３】
2013210481.tif 000015
【図１４】
2013210481.tif 000016
【図１５】
2013210481.tif 000017
【図１６】
2013210481.tif 000018
【図１７】
2013210481.tif 000019
【図１８】
2013210481.tif 000020
【図１９】
2013210481.tif 000021
【図２０】
2013210481.tif 000022
【図２１】
2013210481.tif 000023
【図２２】
2013210481.tif 000024